(57)【特許請求の範囲】
【請求項１】
支点を中心に開閉可能な扉を有し、前記扉の裏側に表側からのレバー操作により扉の端部方向に移動可能な閂を設け、前記扉を閉めたときに前記端部に対向する位置に閂受けを設け、前記閂受けの差込口と前記閂を嵌合させて前記扉をロックする金庫筐体において、
前記閂は、前記移動方向先端側に閂先端部を備え、該閂先端部より手前に該閂先端部よりも幅の狭い幅狭部を備え、
前記閂受けは、前記金庫筐体の側壁と平行に備え、前記閂受けの差込口は、前記閂先端部の幅に合わせた大きさの差込口幅広部と、前記幅狭部に合わせた大きさで該差込口幅広部よりも扉を閉めたときの扉の裏側方向に配置された差込口幅狭部とからなることを特徴とする金庫筐体の閂構造。
【請求項２】
前記閂先端部および差込口を複数設けたことを特徴とする請求項１記載の金庫筐体の閂構造。
【請求項３】
請求項１および請求項２記載の金庫筐体の閂構造を有することを特徴とする自動取引装置。
【発明の詳細な説明】
【技術分野】
【０００１】
本発明は、金庫筐体の扉の閂（かんぬき）構造に関する。
【背景技術】
【０００２】
従来、自動取引装置等の金庫筐体の扉には、該扉を施錠するための施錠構造の他に、該扉を開閉するためのレバーを操作することにより該扉をロックまたはロックを解除するロック装置が設けられている。前記ロック装置は、前記扉の裏側に先端部の幅を一定とした板状の閂を設けており、金庫筐体の扉の開閉部分に閂との嵌合部を設けている。さらに、前記閂はリンク部材を介して前記レバーと支持され、該レバーの操作により該閂が移動し、金庫筐体の差込口に嵌合または嵌合を解除して、扉をロックまたはロックを解除する構成となっている。（例えば、特許文献１参照）。
【特許文献１】特開２００５−２００８９０号公報
【発明の開示】
【発明が解決しようとする課題】
【０００３】
しかしながら、扉の裏側に閂構造を適用する場合、その効果が出るよう閂の嵌合部分の差込量が十分に必要であるため、筐体幅が限られている金庫筐体では該閂構造を適用出来ないという課題があった。また、前記閂の先端部の幅が一定であるため、外部からバール等でこじ開けようとして該閂が折れた曲がった場合、引っ掛かりがないため、折れ曲がった閂が該閂の差込口から抜けて扉のロックが解除されてしまうことがあった。
【課題を解決するための手段】
【０００４】
本発明は、前述の課題を解決するために次の構成を採用する。すなわち、本発明は、支点を中心に開閉可能な扉を有し、前記扉の裏側に表側からのレバー操作により扉の端部方向に移動可能な閂を設け、前記扉を閉めたときに前記端部に対向する位置に閂受けを設け、前記閂受けの差込口と前記閂を嵌合させて前記扉をロックする金庫筐体において、前記閂は、前記移動方向先端側に閂先端部を備え、該閂先端部より手前に該閂先端部よりも幅の狭い幅狭部を備え、前記閂受けは、前記金庫筐体の側壁と平行に備え、前記閂受けの差込口は、前記閂先端部の幅に合わせた大きさの差込口幅広部と、前記幅狭部に合わせた大きさで該差込口幅広部よりも扉を閉めたときの扉の裏側方向に配置された差込口幅狭部とからなるようにした。
【発明の効果】
【０００５】
本発明の自動取引装置によれば、以上のように構成したので、外部から金庫の扉をこじ開けようとしても閂が変形して差込口幅狭部に引っかかり、解放を確実に防止することができる。
【０００６】
また、本構造を採用することにより、閂の嵌合部分の差込量を短くすることができるので、金庫を小型にすることもできる。
【発明を実施するための最良の形態】
【０００７】
以下、本発明に係わる実施の形態例を、図面を用いて説明する。図面に共通する要素には同一の符号を付す。
【実施例】
【０００８】
（構成）
図１は、自動取引装置内に設置されている金庫筐体の扉を開いた状態の概略斜視図である。自動取引装置１９の内部は上部と下部とに２段構成となっており、カードや通帳等を取り扱うユニットは図示する上部に配置され、紙幣の収納等を行う金庫筐体５は下部に配置されている。
【０００９】
そして、自動取引装置１９の後側に金庫筐体５の前面に設けられた開閉可能な扉２を具備している。なお、扉２は一方の側端部に取り付けられた図示しないヒンジ部材等の支点を中心に開閉可能となっている。
【００１０】
扉２の裏側には扉２をロックするための閂１が取り付けられている。閂１は一枚の板状であり、扉２の開閉側すなわち、閂受け３への差込方向先端部を幅広の形状とした閂先端部１ａと、閂先端部１ａの手前に閂先端部１より幅の狭い幅狭部１ｂを設けている。
【００１１】
また、閂１は水平方向に長穴形状のガイド孔９を２箇所設けており、扉２の閂１側には、ガイド孔９と同数の突形状の上下ガイド８を設けている。上下ガイド８はガイド孔９に挿入されており、後述するレバー７の矢印Ｂ方向の動きと連動して上下方向の動きを規制しながら、閂１が矢印Ａ方向に移動する際に、上下ガイド８に沿ってガイド孔９も移動することとなる。さらに、閂１を挟み込むよう、閂１の表側と裏側に図示しない固定部材により固定された前後ガイド１４ａ、ｂを設け、閂１の前後方向への移動を規制している。
【００１２】
扉２の表側には破線で示すレバー７が設けられており、レバー７には連結部材１０を介して扉２の裏側にリンク部材６が支持され、連結部材１０を軸にレバー７およびリンク部材６が稼動する。リンク部材６の先端部の閂１側にはピン１１が設けられ、閂１に設けられた垂直方向で長孔形状の閂可動孔１２に挿入されている。
【００１３】
閂可動孔１２は横方向にピン１１の直径とほぼ同一の幅を持たせ、ピン１１と密接するように設けた孔であり、レバー７の矢印Ｂ方向の動きと連動して、ピン１１が閂可動孔１２の内側壁を押圧することにより、閂１が矢印Ａ方向に移動するようになっている。
【００１４】
一方、閂受け３は金庫筐体５の内側壁の扉２の開閉部分に溶接等により設置されており、厚さ数ミリメートルの一枚の強固な板状となっている。また、閂受け３には差込口４が２箇所設けられており、閂１の閂先端部１ａと嵌合して扉２をロックする構成になっている。なお、差込口４は、閂先端部１ａの幅に合わせた開口部である差し込口幅広部４ｂと、幅狭部１ｂの幅に合わせた開口部である差し込口幅狭部４ａを具備した左右対称の形状となっている。
【００１５】
（動作）
以上の構成により、実施例の扉の閂構造は以下のように動作する。本動作を図２ないし図６を用いて以下詳細に説明する。
【００１６】
まず、扉２のロック動作について説明する。図２は閂の動作を説明する正面図であり、図３は閂の動作を説明する側面図である。図２および図３に示すように、扉２の表側のレバー７を矢印Ｂｂ方向に動かすと、連結部材１０により支持されているリンク部材６およびピン１１が連動し、ピン１１が閂可動孔１２内を矢印Ｂｂ方向に移動することにより、閂１は差込方向である矢印Ａａ方向に移動する。
【００１７】
そして、閂１の閂先端部１ａは差込口４の差込口幅広部４ｂの位置に差し込まれ、扉２はロック状態となる。このとき、正常なロック状態では閂１が差込口幅狭部４ａへ移動することはない。
【００１８】
次に、ロック状態の扉２をバール１３を用いて外側からこじ開けられた場合の動作について、図４および図５を用いて説明する。図４は金庫筐体の動作を説明する上面図であり、図５は閂の動作を説明する上面拡大図である。
【００１９】
図４に示すように、扉２と金庫筐体５の閂１側の隙間よりバール１３を挿入して矢印Ｃ方向に力を加えると、扉２が矢印Ｄ方向に押圧される。すると、図５に示すように、扉２に設けられた閂１はバール１３の押圧力により扉２とともに矢印Ｄ方向へ移動する。そして、差込口幅広部４ｂの端部を力点Ｅ、前後ガイド１４ａの端部を支点Ｆ、前後ガイド１４ｂの端部を作用点Ｇとして閂１が変形する。
【００２０】
このとき、図６に示すように、閂１の幅狭部１ｂが移動して差込口４の差込口幅狭部４ａに嵌り、閂先端部１ａが引っかかるため、閂１が差込口４より抜けることがない。
【００２１】
なお、以上の実施例の説明では閂先端部１ａおよび差込口４を２箇所として説明したが、２箇所以上設けるようにしても良い。また、閂先端部１ａの形状を矩形として説明したが、扉がこじ開けられたときに閂先端部１ａの１点（図６のａ点）に応力が集中しないように、図７に示す閂先端部１５ａのような幅狭部１５ｂに向かって斜めの形状や、図８に示す幅狭部１６ｂのように閂先端部１６ａより手前を湾曲させた形状や、図９に示す幅狭部１７ｂのように閂先端部１７ａより手前の片側のみを部分的に切欠いた形状としても良い。
【００２２】
また、閂を１枚の強固な板状として説明したが、閂の稼動機構はやや複雑になるが、複数の板としても良い。また、差込口幅狭部４ａ、差込口幅広部４ｂを備えた差込口４の形状を左右対称の形状として説明したが、図１０に示すように差込口１８の一部分を切欠き、差込口幅狭部１８ａおよび差込口幅広部１８ｂを設けた形状としても良い。
【００２３】
（実施例の効果）
以上詳細に述べたように実施例の扉の閂構造によれば、バール等により扉がこじ開けられた場合でも、閂の幅狭部が開口部である差込口幅狭部に嵌り、閂受けへの差込方向先端部を幅広の形状とした閂先端部が差込口幅狭部に引っかかるように作用するので、確実に扉の解放を防ぐことができる。
【産業上の利用可能性】
【００２４】
以上述べたように、本発明は、自動取引装置や自動販売機等の現金を取り扱う装置や、コインロッカー等の現金、貴重品等を保管する装置等の安全な保管を要求される装置に広く用いることができる。
【図面の簡単な説明】
【００２５】
【図１】実施例の金庫の扉を開いた状態の概略斜視図である。
【図２】実施例の閂の動作を説明する正面図である。
【図３】実施例の閂の動作を説明する側面図である。
【図４】実施例の金庫筐体の動作を説明する上面図である。
【図５】実施例の閂の動作を説明する上面拡大図である。
【図６】実施例の閂の動作を説明する側面図である。
【図７】閂先端部の変形例を説明する図である。
【図８】閂先端部の変形例を説明する図である。
【図９】閂先端部の変形例を説明する図である。
【図１０】差込口の変形例を説明する図である。
【符号の説明】
【００２６】
１    閂
１ａ  閂先端部
１ｂ  幅狭部
２    扉
３    閂受け
４    差込口
４ａ  差込口幅狭部
４ｂ  差込口幅広部
５    金庫筐体
６    リンク部材
７    レバー
８    上下ガイド
９    ガイド孔
１０  連結部材
１１  ピン
１２  閂可動孔
１４ａ、ｂ  前後ガイド
１９  自動取引装置
【図１】
0005157288.tif 000002
【図２】
0005157288.tif 000003
【図３】
0005157288.tif 000004
【図４】
0005157288.tif 000005
【図５】
0005157288.tif 000006
【図６】
0005157288.tif 000007
【図７】
0005157288.tif 000008
【図８】
0005157288.tif 000009
【図９】
0005157288.tif 000010
【図１０】
0005157288.tif 000011